(57)【要約】      （修正有）【課題】車の運転者、助手席者に邪魔にならずに、容易にティッシュペーパーボックスからティッシュペーパーを取り出すためのティッシュペーパーボックスホルダーを提供する。【解決手段】薄い帯状の第１の伸縮部材１−（１）の両端に張着させるための面ファスナー１−（３）、１−（４）又はボタンまたはホック又はチャックを固着させ、その第１の伸縮部材をダッシュボックスの蓋の上下方向の外周に、また蓋内側中央部に固着部分が位置するようにまたティッシュペーパーボックスのティッシュペーパーの取り出しの邪魔にならない位置に、計２本張着させ、ダッシュボックスの蓋の外側の第１の伸縮部材の表面中央部にはティッシュペーパーボックスを張着できる第２の伸縮部材１−（２）の両端を固着した。【選択図】図１
0003231860.tif 000002
【実用新案登録請求の範囲】
【請求項１】
薄い帯状の第１の伸縮部材の両端に張着させるための面ファスナー又はボタンまたはホック又はチャック等を固着させ、その第１の伸縮部材をダッシュボックスの蓋の上下方向の外周に、また蓋内側中央部に固着部分が位置するようにまたティッシュペーパーボックスのティッシュペーパーの取り出しの邪魔にならない位置に、計2本張着させ、ダッシュボックスの蓋の外側の第１の伸縮部材の表面中央部にはティッシュペーパーボックスを張着できる第2の伸縮部材の両端を固着したことを特徴とするティッシュペーパーボックスホルダー。
【考案の詳細な説明】
【技術分野】
【０００１】
この考案は、ティッシュペーパーボックスを車内で邪魔にならない位置に内装を加工することなく固定し、ティッシュペーパーの取り出しも運転席と助手席から容易にできるティッシュペーパーホルダーに関する。
【背景技術】
【０００２】
車に乗車した時、ティッシュペーパーが欲しい時の対象は主に運転席に座る人と助手席に座る人の確立が高い。運転者と助手席に乗車したものが容易に取り出せる位置にしかも両者に邪魔にならない位置にティッシュペーパーボックスを容易に固定するティッシュペーパーボックスホルダーがなかった。そこで、助手席前のダッシュボックスの蓋を何の加工もすることなくその蓋にティッシュペーパーボックスを張着できるティッシュペーパーボックスホルダーを提供する。
【先行技術文献】
【特許文献】
【０００３】
【特許文献１】従来技術としては実開平４−１１８３７０があるがこの考案は座席の背あて部の背面に吊り下げる方式であり、運転者、助手席者からはティッシュペーパーが取り出しにくい。
【非特許文献】
【０００４】
【非特許文献１】フロントガラスの内側の平坦な部分にティッシュペーパーボックスを何らかの方法で固定しても、フロントガラスに反射して移るため、運転に支障が出たり、助手席者は景色の邪魔になったりした。
【考案の概要】
【考案が解決しようとする課題】
【０００５】
車に加工することなく、運転者と助手席者がティッシュペーパーを容易に取れて、しかも双方に邪魔にならない位置にティッシュペーパーボックスを固定する課題がある。
【課題を解決するための手段】
【０００６】
この考案は上記の課題を解決するために、薄い帯状の第１の伸縮部材の両端に張着させるための面ファスナー又はボタンまたはホック又はチャック等を固着させ、その第１の伸縮部材をダッシュボックスの蓋の上下方向の外周に、また蓋内側中央部に固着部分が位置するようにまたティッシュペーパーボックスのティッシュペーパーの取り出しの邪魔にならない位置に、計2本張着させ、ダッシュボックスの蓋の外側の第１の伸縮部材の表面中央部にはティッシュペーパーボックスを張着できる第2の伸縮部材の両端を固着したことを特徴とするティッシュペーパーボックスホルダーを提供する。
【考案の効果】
【０００７】
内装を加工することなく短時間でティッシュペーパーホルダーを取り付けティッシュペーパーボックスを張着できることで、車の運転者、助手席者がティッシュペーパーを欲しいとき、容易にティッシュペーパーボックスからとりだせ、体の動きも制約することはなく邪魔にならない。ティッシュペーパーボックスを更新するときも容易にできる。
【図面の簡単な説明】
【０００８】
【図１】ティッシュペーパーボックスホルダーの正面図
【図２】図１の平面図
【図３】ダッシュボックスの蓋にティッシュペーパーボックスを張着した時の正面図
【図４】図３のAーA断面矢視図
【図５】ダッシュボックスにティッシュペーパーボックスを張着した時の斜視図
【考案を実施するための形態】
【０００９】
薄い帯状の第１の伸縮部材の両端に張着させるための面ファスナー又はボタンまたはホック又はチャック等を固着させ、その第１の伸縮部材をダッシュボックスの蓋の上下方向の外周に、また蓋内側中央部に固着部分が位置するようにまたティッシュペーパーボックスのティッシュペーパーの取り出しの邪魔にならない位置に、計2本張着させ、ダッシュボックスの蓋の外側の第１の伸縮部材の表面中央部にはティッシュペーパーボックスを張着できる第2の伸縮部材の両端を固着したことを特徴とするティッシュペーパーボックスホルダーを形成する。
【実施例】
【００１０】
図１は本考案の第１実施例に基ずく正面図である。第1の伸縮部材である１−1には平たいピンク色の織ゴムで幅２０ｍｍ厚み０．７ｍｍ長さ２７０ｍｍのものを使用した。ピンク色にしたのはティッシュペーパーボックスの色がピンク色に近かったため、おしゃれに見えるよう
にしたものである。伸縮部材の色は車の内装色や、ティッシュペーパーボックスの色やティッシュペーパーボックスカバーの色に合わせた方がおしゃれに見える。第1の伸縮部材の両端には長さ４０ｍｍ幅２０ｍｍの面ファスナーの凹、凸をそれぞれミシン糸で固着した。面ファスナーの固着位置を裏表にしているのはダッシュボックスに第1の伸縮部材をねじることなく張着できるようにするためである。次に第2の伸縮部材１−２である平たいピンク色の織ゴムで幅２０ｍｍ厚み０．７ｍｍ長さ２００ｍｍのものを第1の伸縮部材のセンターから３０mmの位置に左右それぞれ１０ｍｍの長さ分ミシン糸で固着した。第1の伸縮部材の長さはダッシュボックスの上下方向の外周が340ｍｍであったため、約1.8倍に伸長して張着させる長さとした。また、ティッシュペーパーボックスの張着する方の3辺の外周が２２０ｍｍだったため、約１．２倍に伸長して張着させる長さとした。ダッシュボックスの上下方向の外周や、ティッシュペーパーボックスの張着する部分の長さが変わっても張着できる範囲内であれば対応できる。図１の１に示すティッシュペーパーボックスホルダーを２本製作し、ティッシュペーパーの取り出しに邪魔にならない位置へダッシュボックスの蓋に張着させ、ティッシュペーパーボックスを図５の状態に張着させた。ティッシュペーパーボックスは容易に張着することができたし、ティッシュペーパーを運転席、助手席から容易に取り出しできることを確認した。また、1時間以上道路を運転してもティッシュペーパーボックスの位置が変化しないことも確認した。
【産業上の利用可能性】
【００１１】
本考案は、車の内装を加工することなく、ダッシュボックスにティッシュペーパーボックスを張着し、運転者、助手席者の邪魔になることもなく容易にティッシュペーパーを使用できるティッシュペーパーボックスホルダーを新規に提供することで不便を解消し広く利用されるものである。
【符号の説明】
【００１２】
１        ティッシュペーパーボックスホルダー
１−1      第１の伸長部材
１−２      第2の伸長部材
１−３      面ファスナー（凸）
１−４      面ファスナー（凹）
２        ティッシュペーパーボックス
３        ダッシュボックスの蓋
４        サイドミラー
【図１】
0003231860.tif 000003
【図２】
0003231860.tif 000004
【図３】
0003231860.tif 000005
【図４】
0003231860.tif 000006
【図５】
0003231860.tif 000007
【手続補正書】
【提出日】令和3年2月11日(2021.2.11)
【手続補正１】
【補正対象書類名】実用新案登録請求の範囲
【補正対象項目名】請求項１
【補正方法】変更
【補正の内容】
【請求項１】
薄い帯状の第１の伸縮部材の両端に張着
させるための面ファスナー又はボタン
またはホック又はチャックを固着させ、
その第１の伸縮部材をダッシュボックス
の蓋の上下方向の外周に、また蓋内側
中央部に固着部分が位置するようにまた
ティッシュペーパーボックスのティッシュ
ペーパーの取り出しの邪魔にならない位置
に、計２本張着させ、ダッシュボックスの
蓋の外側の第１の伸縮部材の表面中央部に
はティッシュペーパーボックスを張着でき
る第２の伸縮部材の両端を固着したことを
特徴とするティッシュペーパーボックス
ホルダー。